(57)【要約】【課題】省略語に対して利用者が感じる違和感を低減することが可能なデータベース管理システム、ナビゲーション装置、省略語登録装置を提供すること。【解決手段】登録者の属性情報と、語句の省略の仕方に関する情報とを関連付けてデータ保存する。これにより、利用者の属性情報に応じて適切な語句省略方法を提供可能なデータベースを構築し、複数の利用者が更新可能なデータベースにおいて、利用者に応じて適切な省略語を選択することができる。また、目的地までの経路案内を行うナビゲーション装置において、利用者に応じた省略語を用いて案内することができるので、省略語に対して利用者が感じる違和感を低減することができる。データベースに省略語を登録する省略語登録装置において、利用者が省略語を登録する際に、省略語候補を提案する省略語候補提案手段を備える構成とする。【選択図】図１
2010250601.tif 000002
【特許請求の範囲】
【請求項１】
ネットワークを介して複数の利用者によって更新可能な情報を含むデータベースを管理するデータベース管理システムであって、
前記データベースは、更新可能な情報として、対象語に対する省略の仕方に関する情報である略語情報を含むものであり、
略語情報を登録した登録者の属性情報と当該略語情報とを関連付けて情報を更新する更新手段を備えることを特徴とするデータベース管理システム。
【請求項２】
前記登録者の属性情報及び利用者の属性情報に基づいて、前記利用者が使用する端末において前記データベースに記憶されている前記略語情報を利用するか否かを判定する利用可否判定手段を備える請求項１記載のデータベース管理システム。
【請求項３】
前記利用可否判定手段は、前記登録者と前記利用者とが同一ネットワークコミュニティ内のメンバーである場合に、前記略語情報を利用すると判定する請求項２記載のデータベース管理システム。
【請求項４】
広告情報に含まれる語句を、略語情報に含まれた省略語であり利用者に適した省略語に置き換えて提供する略語変換手段を備える請求項１〜３の何れか一項に記載のデータベース管理システム。
【請求項５】
複数の利用者によって更新可能な情報を含むデータベースを管理するデータベース管理システムであって、
更新可能な情報として、対象語に対する省略の仕方に関する情報である略語情報を記憶する記憶手段と、
略語情報を登録した登録者の属性情報を当該略語情報と関連付けて情報を更新する更新手段とを備えることを特徴とするデータベース管理システム。
【請求項６】
利用者にランドマークに関する情報を提供して経路案内を行うナビゲーション装置において、
更新可能な情報として、対象語に対する省略の仕方に関する情報である略語情報を記憶する記憶手段と、
略語情報を登録した登録者の属性情報と当該略語情報とを関連付けて情報を更新する更新手段と、
前記ランドマークに関する情報に含まれる語句を、前記記憶手段に記憶された略語情報に基づいて省略して案内する制御手段と、を備え、
前記制御手段は、利用者情報を取得し、前記利用者情報及び前記更新者の属性情報に基づいて、前記語句の省略の仕方を決定し、当該省略の仕方によって省略された語句を用いて経路案内を行うことを特徴とするナビゲーション装置。
【請求項７】
利用者にランドマークに関する情報を提供して経路案内を行うナビゲーション装置において、
前記ランドマークに関する情報に含まれる語句を省略して案内を行う制御手段を備え、
前記制御手段は、利用者情報を取得し、前記利用者情報に基づいて、前記語句の省略の仕方を決定し、当該省略の仕方によって省略された語句を用いて経路案内を行うことを特徴とするナビゲーション装置。
【請求項８】
対象語に対する省略の仕方に関する情報である略語情報を含むデータベースに、略語情報を登録する省略語登録装置であって、
利用者が略語情報を登録する際に、省略語候補を提案する省略語候補提案手段を備えることを特徴とする省略語登録装置。
【請求項９】
ネットワークを介して複数の利用者によって更新可能な情報を含む前記データベースから情報を取得する情報取得手段を更に備え、
前記データベースは、略語情報を登録した登録者の属性情報と当該略語情報とを関連付けて記憶するものであり、
前記省略語候補提案手段は、前記情報取得手段によって取得された情報に基づいて、前記省略語候補を提案する請求項８記載の省略語登録装置。
【請求項１０】
前記データベースから取得した情報に基づいて、語句の省略の仕方の規則性を学習する学習手段を更に備え、
前記省略語候補提案手段は、前記学習手段によって学習された語句の省略の仕方の規則性に基づいて、前記省略語候補を提案する請求項９記載の省略語登録装置。
【請求項１１】
利用者によって更新可能な情報を含むデータベースを管理するデータベース管理システムであって、
前記データベースは、更新可能な情報として、対象語に対する省略の仕方に関する情報である略語情報、及び、略語情報に関連付けられた利用者の属性情報を含むものであり、
広告情報に含まれる語句を、略語情報に含まれた省略語であり利用者に適した省略語に置き換えて提供する略語変換手段を備えることを特徴とするデータベース管理システム。
【発明の詳細な説明】
【技術分野】
【０００１】
本発明は、データベース管理システム、ナビゲーション装置、及び省略語登録装置に関するものである。
【背景技術】
【０００２】
従来、翻訳などの精度を高めるために、ユーザー辞書をネットワークを介して共有する技術が提案されている（例えば、特許文献１参照）。この特許文献１に記載の自動翻訳システムでは、編集する情報に、編集者に関する情報を加えて、共有サーバー側のユーザー辞書を編集する。そして、書き込み許可のないユーザー辞書に対して辞書の更新指示がされた場合には、サーバー側で書き込みを拒否する。
【０００３】
また、特許文献２，３には、複数のユーザーで辞書データを共有するシステムが開示されている。また、特許文献４には、携帯通信端末において文章入力中の辞書登録の操作手順を簡略化する技術が開示されている。また、特許文献５には、カーナビゲーションシステムに適用可能な音声認識装置において、目的地に関連して使用頻度の高い語彙を優先して認識する装置であり、ネットワークを通じて使用頻度に関する情報を収集するものが開示されている。
【先行技術文献】
【特許文献】
【０００４】
【特許文献１】特開２００１−３４６１３号公報
【特許文献２】特開２００３−１５７２５７号公報
【特許文献３】特開平１０−２５４８７０号公報
【特許文献４】特開２００３−２０８４２４号公報
【特許文献５】特開２００７−１８７９７５号公報
【発明の概要】
【発明が解決しようとする課題】
【０００５】
しかしながら、従来の技術では、複数人で辞書を共有する場合において、省略された語句について考慮されていなかった。省略語を複数人で共有する場合には、省略の対象となる語句自体も新しい語句であり、的確に分類されないため、ユーザー辞書による変換結果に違和感を覚えてしまうことがある。また、あるコミュニティの中でしか通用しないあだ名などの省略語（省略の仕方）は、大規模なデータベースにおいてノイズとなってしまい、反映されないという問題がある。また、あだ名などの場合、個人情報保護の問題が生じるおそれがあった。
【０００６】
また、例えば自動車などのナビゲーションシステムにおいて、経路案内時に曲がるべき地点のランドマークを呼称するシステムがある。このようなシステムでは、ランドマークとなる施設名称が長いと、運転手が施設名称を認識するのに時間がかかるという問題がある。この解決策として、施設名称を略称で案内することが考えられるが、略称は案内対象者（運転手）の属性によって異なることがあり、運転手が違和感を覚えてしまうことが想定される。
【０００７】
本発明は、このような課題を解決するために成されたものであり、省略語に対して利用者が感じる違和感を低減することが可能なデータベース管理システム、ナビゲーション装置、省略語登録装置を提供することを目的とする。
【課題を解決するための手段】
【０００８】
本発明によるデータベース管理システムは、ネットワークを介して複数の利用者によって更新可能な情報を含むデータベースを管理するデータ管理システムであって、データベースは、更新可能な情報として、対象語に対する省略の仕方に関する情報である略語情報を含むものであり、略語情報を登録した登録者の属性情報と当該略語情報とを関連付けて情報を更新する更新手段を備えることを特徴としている。
【０００９】
このようなデータベース管理システムによれば、登録者の属性情報と、語句の省略の仕方に関する情報とを関連付けてデータ保存することができるので、利用者の属性情報に応じて、適切な語句省略方法を提供可能なデータベースが構築される。これにより、複数の利用者が更新可能なデータベースにおいて、利用者に応じて適切な省略語を選択し易くなるため、省略語に対して、利用者が感じる違和感を低減することが可能となる。属性情報としては、例えば、性別、年齢、居住地域、職業、趣味、ＩＰアドレス、ブラウザ、ＳＮＳ（Social Network Service）の所属コミュニティなどが挙げられる。なお、省略語の対象となる語句である対象語はとしては、例えば、店舗名称、人物名、ランドマークとなる施設名称、地名などが挙げられる。語句の省略の仕方とは、語句を単に縮めることで省略する方法、あだ名（ニックネーム）、通称などを用いて語句を言い換えることで省略する方法を含む。また、対象語に対する省略の仕方に関する情報としては、省略語自体でもよく、省略語を導出するための方法、規則性に関する情報でもよい。
【００１０】
また、登録者の属性情報及び利用者の属性情報に基づいて、利用者が使用する端末においてデータベースに記憶されている略語情報を利用するか否かを判定する利用可否判定手段を備える構成が挙げられる。これにより、利用者及び登録者の属性情報に基づいて、登録者が登録した略語情報を利用するか否かを判定することで、利用者と似た特性（属性情報）を持つ登録者によって登録された略語情報のみを採用することができる。そのため、利用者の感覚に合致した略語情報のみを利用可能とすることができる。
【００１１】
また、利用可否判定手段は、登録者と利用者とが同一ネットワークコミュニティ内のメンバーである場合に、略語情報を利用すると判定することが好ましい。これにより、カーナビゲーションシステム、携帯、パソコンなどで、フレンド登録したメンバーのみで情報を共有することで、利用者の感覚に合致した情報のみを利用することが容易となる。また、ある程度限定されたメンバーにのみ情報が共有されないため、個人名のあだ名なども省略語として利用しても、個人情報保護の問題が生じることがない。また、既存の大規模なＳＮＳ（例えば、ＭＩＸＩ（登録商標）など）内のコミュニティ内で略語情報を共有することも、大規模なデータベースを新たに生成する必要がなく容易に実現可能である。
【００１２】
また、広告情報に含まれる語句を、略語情報に含まれた省略語であり利用者に適した省略語に置き換えて提供する略語変換手段を備えることが好適である。広告情報に含まれる語句を利用者に適した略語に置き換えて、表示することで、広告に対する利用者の親しみを増大させることができる。特に、利用者特有の省略の仕方に基づいて変換することで、広告情報が注目され易くなる。
【００１３】
このような略語情報を利用可能なデータベースシステムは、例えば、パソコンでの文書作成時の文字変換、携帯通信端末でのメール作成時の文字変換、検索エンジンによるインターネット検索結果を示す文字表示への反映、楽曲などコンテンツ検索の検索結果を示す文字表示への反映、カーナビゲーションシステムでの地図情報表示に伴う表示文字への反映、google(登録商標)マップなどの地図情報に伴う文字表示への反映などに適用することができる。
【００１４】
また、本発明によるデータベース管理システムは、複数の利用者によって更新可能な情報を含むデータベースを管理するデータベース管理システムであって、更新可能な情報として、対象語に対する省略の仕方に関する情報である略語情報を記憶する記憶手段と、略語情報を登録した登録者の属性情報を当該略語情報と関連付けて情報を更新する更新手段とを備えることを特徴としている。
【００１５】
このようなデータベース管理システムによれば、登録者の属性情報と、語句の省略の仕方に関する情報とを関連付けてデータ保存することができるので、利用者の属性情報に応じて、適切な語句省略方法を提供するデータベースを構築することできる。これにより、複数の利用者が更新可能なデータベースにおいて、利用者に応じて適切な省略語を選択し易くなり、省略語に対して、利用者が感じる違和感を低減することが可能となる。また、略語情報を記憶する記憶手段を備える構成であるため、ネットワークを介して略語情報を取得しなくてもよい。
【００１６】
また、本発明によるナビゲーション装置は、利用者にランドマークに関する情報を提供して経路案内を行うナビゲーション装置において、更新可能な情報として、対象語に対する省略の仕方に関する情報である略語情報を記憶する記憶手段と、略語情報を登録した登録者の属性情報と当該略語情報とを関連付けて情報を更新する更新手段と、ランドマークに関する情報に含まれる語句を、記憶手段に記憶された略語情報に基づいて省略して案内する制御手段と、を備え、制御手段は、利用者情報を取得し、利用者情報及び更新者の属性情報に基づいて、語句の省略の仕方を決定し、当該省略の仕方によって省略された語句を用いて経路案内を行うことを特徴としている。
【００１７】
このようなナビゲーション装置によれば、利用者情報に基づいて、語句の省略方法を決定し、決定された省略方法に基づいて省略された語句を用いて経路案内を行う制御手段を備える構成であるため、利用者に適した省略語を使用して経路案内を行うことができる。これにより、利用者に馴染みのある省略語を用いてランドマークを呼称することができ、利用者は違和感を覚えることなく迅速にランドマークを把握することができる。また、略語情報を記憶する記憶手段を備える構成であるため、ネットワークを介して略語情報を取得しなくてもよい。
【００１８】
また、本発明によるナビゲーション装置は、利用者にランドマークに関する情報を提供して経路案内を行うナビゲーション装置において、ランドマークに関する情報に含まれる語句を省略して案内を行う制御手段を備え、制御手段は、利用者情報を取得し、利用者情報に基づいて、語句の省略の仕方を決定し、当該省略の仕方によって省略された語句を用いて経路案内を行うことを特徴としている。
【００１９】
このようなナビゲーション装置によれば、利用者情報に基づいて、語句の省略方法を決定し、決定された省略方法に基づいて省略された語句を用いて経路案内を行う制御手段を備える構成であるため、利用者に適した省略語を使用して経路案内を行うことができる。これにより、利用者に馴染みのある省略語を用いてランドマークを呼称することができ、利用者は違和感を覚えることなく迅速にランドマークを把握することができる。例えば、関東地方の出身者である利用者に対して、関西地方に馴染みのある略語を用いてランドマークを案内することが防止される。関東地方出身者は、関西地方出身者に馴染みのある省略語を用いて案内された場合に、違和感を覚えるおそれがある。
【００２０】
また、本発明による省略語登録装置は、対象語に対する省略の仕方に関する情報である略語情報を含むデータベースに、略語情報を登録する省略語登録装置であって、利用者が略語情報を登録する際に、省略語候補を提案する省略語候補提案手段を備えることを特徴としている。
【００２１】
このような省略語登録装置によれば、利用者が省略語を登録する際に、語句の省略語候補を提案する省略語候補提案手段を備える構成であるため、利用者は、提案された省略語候補から、適宜、好みの省略語を選択入力することができ、省略語を入力する際の入力操作を簡略化することができる。例えば、カーナビゲーションシステムなどの入力手段が充実していない（キーボードなどがついていない）情報処理端末においては、省略語を入力する入力操作が煩雑であるが、省略語候補提案手段を備える構成であると、提案された省略語候補の中に運転者（利用者）の趣向に合致するものがあれば、入力操作の煩雑さを回避することができる。また、省略語候補を提案する際に、利用者の属性情報に応じた省略語候補を提案することで、省略語に対して利用者が感じる違和感を低減することができる。
【００２２】
また、ネットワークを介して複数の利用者によって更新可能な情報を含むデータベースから情報を取得する情報取得手段を更に備え、データベースは、略語情報を登録した登録者の属性情報と当該略語情報とを関連付けて記憶するものであり、省略語候補提案手段は、情報取得手段によって取得された情報に基づいて、省略語候補を提案することが好適である。これにより、ネットワークに接続された共有データベースから情報を取得することができ、他人（若しくはコミュニティの仲間）が作成した省略語を利用することができる。他人が作成した省略語を省略語候補とし、当該省略語候補から簡易且つ運転者の趣向に合致する省略語を登録することができる。
【００２３】
また、データベースから取得した情報に基づいて、語句の省略の仕方の規則性を学習する学習手段を更に備え、省略語候補提案手段は、学習手段によって学習された語句の省略の仕方の規則性に基づいて、省略語候補を提案することが好ましい。これにより、当該端末の利用者によって、未だ登録されていない語句に対しても適切な省略語候補を提案することができる。
【００２４】
また、本発明によるデータベース管理システムは、利用者によって更新可能な情報を含むデータベースを管理するデータベース管理システムであって、データベースは、更新可能な情報として、対象語に対する省略の仕方に関する情報である略語情報、及び、略語情報に関連付けられた利用者の属性情報を含むものであり、広告情報に含まれる語句を、略語情報に含まれた省略語であり利用者に適した省略語に置き換えて提供する略語変換手段を備えることを特徴としている。
【００２５】
このようなデータベース管理システムによれば、利用者の属性情報と、語句の省略の仕方に関する情報とを関連付けてデータ保存することができるので、利用者の属性情報に応じて、適切な省略方法を提供可能なデータベースが構築される。これにより、広告情報を利用者に提供する際に、利用者に応じて適切な省略語を選択して提供することができる。そのため、省略語に対して利用者が感じる違和感を低減することが可能である。また、広告情報に含まれる語句を利用者に適した省略語に置き換えて、表示（提供）することで、広告に対する利用者の親しみを増大させることができる。特に、利用者特有の省略の仕方に基づいて変換することで、広告情報が注目され易くなる。
【発明の効果】
【００２６】
本発明によれば、省略語に対する利用者の違和感を低減することが可能なデータベース管理システム、ナビゲーション装置、省略語登録装置を提供することができる。
【図面の簡単な説明】
【００２７】
【図１】本発明の第１実施形態に係る省略語共有システムの概略構成図である。
【図２】図１中の略語情報ＤＢに蓄積される略語情報の一例を示す図である。
【図３】本発明の第１実施形態に係る省略語共有システムが適用される車載機の概略構成図である。
【図４】車載機の表示装置に表示された略語編集画面の一例を示す図である。
【図５】車載機のナビＥＣＵで実行される処理を示すフローチャートである。
【図６】本発明の第２実施形態に係る省略語共有システムの概略構成図である。
【図７】ＰＣの表示部に表示されたテキスト編集画面の一例を示す図である。
【図８】ＰＣの表示部に表示された略語編集画面の一例を示す図である。
【図９】省略語候補を表示した画像の一例を示す図である。
【図１０】省略語登録処理を示すフローチャートである。
【図１１】省略語候補提案処理を示すフローチャートである。
【図１２】本発明の第３実施形態に係る車載機の概略構成図である。
【図１３】本発明の第４実施形態に係る省略語共有システムの概略構成図である。
【発明を実施するための形態】
【００２８】
以下、本発明のデータベース管理システム、ナビゲーション装置、省略語登録装置の好適な実施形態について図面を参照しながら説明する。なお、図面の説明において同一または相当要素には同一の符号を付し、重複する説明は省略する。
【００２９】
［第１実施形態］
図１に示す第１実施形態に係る省略語共有システム１は、ネットワークを利用して、例えば店舗名称などの語句を省略した省略語を共有するためのシステムである。省略語共有システム１は、本発明のデータベース管理システムとして機能するものであり、語句の省略の仕方に関する情報である略語情報を蓄積する略語情報ＤＢ（データベース）を備え、複数の利用者によって、略語情報を共有するものである。
【００３０】
省略語共有システム１は、通信ネットワークに接続されたサーバ１０、カーナビゲーションシステムとして機能する車載機２０から成る。
【００３１】
サーバ１０は、ネットワークに接続され、複数の利用者によって更新可能な共有の略語情報ＤＢ１１を備える。複数の利用者とは、例えば、車載機２０を有する車両の運転者などである。略語情報ＤＢ１１には、複数の利用者によって更新可能な情報として、語句の省略の仕方（省略方法）に関する情報である略語情報が蓄積されている。略語情報には、例えば、店舗名称などの省略語に関する情報が含まれ、省略語自体でもよく、省略語を導出する方法に関する情報でもよい。サーバ１０は、例えば、プローブネットワークに接続されたプローブ情報サーバである。
【００３２】
略語情報ＤＢ１１は、略語情報を登録した登録者による入力語句の省略方法に関する情報と共に、登録者の属性情報を省略方法に関する情報と関連付けて、データベース内の情報を更新する更新手段を備えている。略語情報ＤＢ１１では、略語情報と当該略語情報の登録者の属性情報とを関連付けて記憶する。登録者の属性情報としては、性別、年齢、居住地域、職業、趣味、ＩＰアドレス、ブラウザ、ＳＮＳの所属コミュニティなどが挙げられる。
【００３３】
図２は、略語情報ＤＢに保存された略語情報の一例を示す図である。図２（ａ）に示す例では、対象語、省略語、省略語読み、地域、年齢、性別、趣味、端末、コミュニティに関する情報を示している。
【００３４】
対象語は、省略される対象の語句であり、ここでは、「板倉パソコン」なる語句が登録されている。省略語は、対象語を省略した語句であり、例えば「板パソ」、「板パン」なる語句が登録されている。省略語読みは、省略語の読み方であり、「イタパソ」、「イタパン」と登録されている。
【００３５】
地域は、省略語を登録した登録者の居住地域であり、例えば、「関東」、「関西」などと登録されている。年齢は、登録者の年齢であり、例えば、「２０代」、「３０代」と登録されている。性別は、登録者の性別であり、「男性」、「女性」と登録されている。趣味は、登録者の趣味であり、「ゲーム」、「ドライブ」などと登録されている。
【００３６】
端末は、登録者が略語登録時使用した情報処理端末であり、例えば、パソコンを示す「ＰＣ」、カーナビゲーションシステムを示す「ナビ」、携帯電話を示す「携帯」などと登録されている。コミュニティは、登録者が所属するＳＮＳなどのコミュニティであり、「サッカーサークル」、「料理コミュニティ」などと登録されている。
【００３７】
略語情報ＤＢ１１では、図２（ａ）に示すように、一つの語句（対象語）について、全ての登録者情報（更新者の属性情報）及び略語情報を保持するようにしてもよい。これにより、複数の条件から略語情報を抽出することができ、利用者に適した省略語を選択することができる。
【００３８】
図２（ｂ）に示す例では、対象語、地域、省略語、省略語読みに関する情報を示している。ここでは、対象語として、「カツ丼の半田」（店舗名称）を例示している。この場合には、地域、省略語、省略語読みの順に、「関東／カツ半／カツハン」、「関西／丼半／ドンハン」、「北海道／カツ半／カツハン」などと登録されている。
【００３９】
図２（ｃ）に示す例では、対象語、年齢、性別、省略語、省略語読みに関する情報を示している。ここでは、対象語として、「吉祥寺」（地名）を例示している。この場合には、年齢、性別、省略語、省略語読みの順に、「２０代／女性／吉祥／キチジョウ」、「２０代／男性／ジョージ／ジョージ」、「２０代／女性／キッチョ／キッチョ」などと登録されている。略語情報は、例えば、複数種類の属性情報（年齢／性別）によって分類されていてもよい。
【００４０】
略語情報ＤＢ１１において、例えば、居住地域、年齢、職種、所属コミュニティなどの特定の属性情報別にデータベースを保持するようにしてもよい。これにより、余分なデータを管理する必要がなくなる。ただし、ノイズを減らすためにある程度省略語情報を捨てる必要が出てくる。例えば、関東の人１００人が省略語として「ＡＡＡ」と略していた場合に、関東の人２人のみが登録した「ＢＢＢ」という省略方法に関する情報は、ノイズとして除去する。
【００４１】
図２（ｄ）に示す例では、対象語、コミュニティ、省略語、省略語読み、優先順位に関する情報を示している。ここでは、「サッカーサークル」（コミュニティ）に所属するメンバーの人名を対象語とした場合について例示している。この場合には、対象語（人名）、省略語、省略語読み、優先順位の順に、「横地／ヨコッチさん／ヨコッチサン／１」、「大角／伯爵／ハクシャク／１」、「勝又／ボス／ボス／１」、「勝又／チャーリー／チャーリー／２」、「相吉澤／相吉／アイヨシ／１」、「相吉澤／ナメリー／ナメリー／２」、「鈴木／アッコ／アッコ／１」、「山本／シゲオ／シゲオ／１」、「遠藤／えんどぅ／エンドゥ／１」、「遠藤／えんちゃまん／エンチャマン／２」、「遠藤／でんさん／デンサン／３」などと登録されている。略語情報は、一つの対象語に対して、複数の省略語（省略語候補）を有するものでもよい。後述する省略語候補提案手段によって、省略語候補を提案する場合には、優先順位の高い順（１→２→３）に提案される。
【００４２】
略語情報ＤＢ１１では、コミュニティ毎のリストを作成してもよい。コミュニティでは、利用者の裁量でメンバーを決めることができるため、管理する情報量を抑えつつ適切な語句を利用することが可能である。
【００４３】
車載機２０は、自車の現在位置を検出し、目的地までの経路案内を行うカーナビゲーションシステムとして機能する。車載機２０は、ナビゲーションシステムを統括制御する電子制御ユニットであるナビＥＣＵ２１、利用者による入力操作に用いられる入力操作手段２２、液晶モニタなどの表示装置２３、音声出力を行うスピーカ２４を備える。入力操作手段２２は、例えば、タッチ入力可能なタッチパネルでもよい。
【００４４】
ナビＥＣＵ２１は、演算処理を行うＣＰＵ、記憶部となるＲＯＭ及びＲＡＭ、入力信号回路、出力信号回路、電源回路などにより構成されている。ナビＥＣＵ２１は、経路探索部２５、制御部２６、情報送信部２７、情報受信部２８、省略語候補提案部２９、利用可否判定部３０、略語変換部３１、学習部３２を備える。また、ナビＥＣＵ２１は、地図情報を記憶する地図ＤＢ３３を備える。
【００４５】
経路探索部２５は、目的地までの経路を探索する。制御部２６は、目的地までの経路案内を行う。制御部２６は、液晶表示装置２３に地図などの画像情報を表示し、スピーカ２４を用いて音声を出力することで、目的地までの経路案内を行う。情報送信部２７は、各種情報をサーバ１０などに送信する。情報受信部２８は、各種情報をサーバ１０などから受信する。
【００４６】
車載機２０は、サーバ１０の共有の略語情報ＤＢ１１に略語情報を登録する本発明の省略語登録装置として機能する。省略語候補提案部２９は、利用者（運転者）によって略語情報が入力されるときに、省略語候補を提案する本発明の省略語候補提案手段として機能する。情報受信部２８は、通信ネットワークと接続可能とされ、サーバ１０の略語情報ＤＢ１１から略語情報、省略方法に関する情報、略語情報の登録者の属性情報などを取得する本発明の情報取得手段として機能する。
【００４７】
また、ナビＥＣＵ２１の記憶部は、当該車載機２０の利用者の属性情報を記憶している。省略語登録装置として機能する車載機２０は、利用者が省略語を登録した際に、登録された略語情報と共に、利用者の属性情報とを関連付けて記憶部に記憶する。車載機では、記憶部に記憶された略語情報及び利用者の属性情報を、サーバ１０の略語情報ＤＢ１１に送信する。
【００４８】
利用可否判定部３０は、当該車載機２０の利用者の属性情報及び略語情報ＤＢ１１の略語情報の登録者の属性情報に基づいて、当該車載機２０において略語情報ＤＢ１１の略語情報を利用するか否かを判定する本発明の利用可否判定手段として機能する。利用可否判定部３０は、両者の属性情報を参照して、車載機２０の利用者と略語情報ＤＢ１１の略語情報の登録者とが同一ネットワーク内のメンバーである場合に、登録者が登録した略語情報を利用すると判定する。
【００４９】
略語変換部３１は、液晶表示装置（表示手段）２３に表示される広告情報に含まれる語句を、略語情報に含まれた略語であり利用者に適した略語に置き換えて表示する本発明の略語変換手段として機能する。
【００５０】
学習部３２は、サーバ１０の略語情報ＤＢ１１から取得した略語情報、省略方法に関する情報に基づいて、語句の省略方法の規則性を学習する本発明の学習手段として機能する。取得した省略方法の規則性に関する情報は、記憶部に記憶される。省略語候補提案部２９は、学習部３２によって学習された省略方法の規則性に基づいて、省略語候補を提案する。
【００５１】
制御部２６は、利用者（運転者）にランドマークに関する情報に含まれる語句を省略して経路案内を行う。ランドマークに関する情報に含まれる語句とは、例えば、ランドマークの名称、地名などである。制御部２６は、運転者の属性情報を取得し、取得した属性情報に基づいて、語句の省略方法を決定し、決定された省略方法に基づいて、省略された語句（略称）を用いて経路案内を行う。例えば、交差点近傍にあるガソリンスタンド、コンビニエンスストア、ファーストフード店などの店舗名称の略称を呼称して、音声案内を行う。
【００５２】
次に、カーナビゲーションシステムとして機能する車載機を用いた省略語の登録について説明する。図４は、車載機の表示装置に表示された略語編集画面の一例を示す図である。図４（ａ）及び図４（ｂ）に示す略語編集画面１０１，１１１は、省略語を登録する際に使用される画像である。利用者は、入力操作手段であるリモコン等を操作して省略語情報を登録してもよく、タッチ画面を用いた入力操作を行うことで、省略語情報を登録してもよい。
【００５３】
図４（ａ）に示す略語編集画面１０１には、正式名称入力枠１０２、略語入力枠１０３、略語読み入力枠１０４、キャンセルボタン１０５、登録ボタン１０６、候補表示ボタン１０７が表示されている。
【００５４】
正式名称入力枠１０２は、省略の対象となる語句の正式名称を入力するための入力枠である。正式名称入力枠１０２には、例えば、ランドマークとなり得る店舗の正式名称が入力される。ここでは、一例として、「牛丼の岡吉祥寺南口店」と入力されている。
【００５５】
略語入力枠１０３は、正式名称入力枠１０２に入力された語句の省略語を入力するための入力枠である。略語読み入力枠１０４は、略語入力枠１０３に入力された省略語の読み方を入力するための入力枠である。キャンセルボタン１０５は、入力をキャンセルする場合に使用する入力ボタンである。登録ボタン１０６は、省略語情報を登録する際に使用する入力ボタンである。候補表示ボタン１０７は、省略語候補を表示する際に使用する入力ボタンである。
【００５６】
利用者は、正式名称入力枠１０２に正式名称を入力する際に、ナビゲーションシステムの施設検索機能を利用することができる。候補表示ボタン１０７が操作されると、図４（ｂ）に示す略語編集画面１１１が表示される。
【００５７】
図４（ｂ）に示す略語編集画面１１１は、省略語候補を提示する際に表示される画像の一例である。略語編集画面１１１には、正式名称表示欄１１２、省略語候補表示欄１１３〜１１６、戻るボタン１１７、登録ボタン１１８が表示されている。
【００５８】
正式名称表示欄１１２は、省略の対象となる語句の正式名称を表示する欄であり、正式名称入力枠１０２に入力された正式名称が表示される。図４（ｂ）では、「正式名称：牛丼の岡吉祥寺南口店」と表示されている。
【００５９】
省略語候補表示欄１１３〜１１６は、正式名称表示欄１１２に表示された正式名称の省略語候補を表示する欄である。省略語候補表示欄１１３〜１１６に表示される省略語候補は、例えば、システムの予測エンジンによって提案された省略語候補、略語情報ＤＢ１１から取得した省略語候補、ネットワーク情報から規則性を導き出して提案された省略語候補などがある。
【００６０】
図４（ｂ）では、「南牛岡：吉祥寺在住者より取得」１１３、「南口牛岡：提案」１１４、「牛岡吉祥寺南：提案」１１５、「ジョージ南岡牛：東京グルメコミュニティより取得」１１６と表示されている。省略語候補表示欄１１３〜１１６では、「省略語候補：省略語候補の提案元」が表示されている。また、省略語候補表示欄１１３〜１１６の近傍には、利用者が好みの省略語候補を選択入力する際に使用するチェックボックスが各々設けられている。戻るボタン１１７は、前画面に戻る場合に使用する入力ボタンである。登録ボタン１１８は、省略語情報を登録する際に使用する入力ボタンである。
【００６１】
次に、省略語候補提案部２９で実行される語句の省略方法について説明する。第１の省略方法は、対象語を単純に省略する方法である。第１の省略方法では、対象語「牛丼の岡」を「牛岡」と省略し、対象語「カツ丼の半田」を「カツ半」と省略する。
【００６２】
第２の省略方法は、対象語の語順を逆転させて省略する方法である。第２の省略方法では、対象語「牛丼の岡」を「岡牛」と逆転させて省略し、対象語「カツ丼の半田」を「半カツ」と逆転させて省略する。
【００６３】
第３の省略方法は、対象語に含まれる地名の一部と店舗（施設）名称の一部を組み合わせて省略する方法である。第３の省略方法では、対象語「本山駅のカツ丼半田」を「モトハン」と省略し、対象語「八事駅のカツ丼半田」を「ゴトハン」と省略する。
【００６４】
第４の省略方法は、対象語から連想される物の名称を用いて省略する方法である。対象語が飲食店の店舗名称であれば、メインメニューの食材から連想される語句を訓読みすることで、略称として設定してもよい。第４の省略方法では、対象語「牛丼の岡」を「うし」と省略する。
【００６５】
第５の省略方法は、対象語の後端の一部を用いて省略する方法である。第５の省略方法では、対象語「自由が丘」を「ガオカ」と省略し、対象語「大曽根」を「ゾネ」と省略し、対象語「池袋」を「ブクロ」と省略し、対象語「高田馬場」を「ババ」と省略し、対象語「長泉なめり」を「ナメリ」と省略し、対象語「麻布十番」を「ジュウバン」と省略する。
【００６６】
また、第６の省略方法として、上記第１〜第５の省略方法を組み合わせて、対象語を省略してもよい。例えば、対象語「長泉なめりの牛丼の岡」を「ナメリの岡牛」と省略してもよい。
【００６７】
次に、車載機のナビＥＣＵで実行される処理について図５のフローチャートを参照して説明する。ステップ１では、ナビＥＣＵ２１は、略語モードがＯＮであるか否かを判定する。利用者によって、略語モードが選択されている場合には、略語モードがＯＮであると判定して、ステップ２に進み、略語モードが選択されていない場合には、略語モードがＯＦＦであると選択して、処理を終了する。
【００６８】
続く、ステップ２では、入力語句の受付を行う。利用者から入力された対象語を受け付ける。次に、ステップ３では、略語情報ＤＢ１１に省略語候補が有るか否かを判定する。ナビＥＣＵ２１は、入力された対象語に関する情報をサーバ１０に送信する。サーバ１０では、略語情報ＤＢ１１に蓄積された略語情報を参照し、対応する省略語候補に関する情報、省略語情報を登録した登録者の属性情報を、ナビＥＣＵ２１に送信する。ナビＥＣＵ２１では、サーバ１０から受信した情報に基づいて、入力された対象語に対応する省略語があるか否かを判定する。略語情報ＤＢ１１に省略語候補がある場合には、ステップ４に進み、略語情報ＤＢ１１に省略語候補がない場合には、処理を終了する。
【００６９】
ステップ４では、ナビＥＣＵ２１は、省略語を利用するか否かを判定する。ナビＥＣＵ２１は、当該車載機の利用者の属性情報と、略語情報を登録した登録者の属性情報とを比較して、略語情報ＤＢ１１から取得した省略語を利用するか否かを判定する。例えば、車載機２０の利用者と略語情報の登録者の居住地域、性別、年齢が合致する場合に、略語情報を利用すると判定する。略語情報を利用すると判定した場合は、ステップ５に進み、略語情報を利用しないと判定した場合は、処理を終了する。
【００７０】
続く、ステップ５では、ナビＥＣＵ２１は省略語を利用した経路案内を行う。省略語を利用しない場合に、「２００先右折です。目印はカツ丼の半田です。」と音声案内していたものを、省略語を用いて「２００先右折です。目印はカツ半です。」と音声案内することができる。
【００７１】
このような省略語共有システム１によれば、略語情報の登録者と、略語情報、省略方法に関する情報とを関連付けてデータ保存することができるので、車載機２０の利用者の属性情報に応じて、適切な省略語を提供することができる。これにより、複数の利用者が更新可能なデータベースにおいて、省略語に対し利用者が感じる違和感を低減することができる。
【００７２】
また、利用者が使用する端末である車載機２０において、利用可否判定部３０を備え、車載機２０の利用者と略語情報登録者の属性情報を比較して、略語情報登録者が登録した省略語を利用するか否かを判定することができるため、利用者と類似する属性情報を持つ登録者によって登録された略語情報のみを利用することができる。そのため、利用者の感覚に合致した省略語のみを利用することができ、省略語に対し利用者が感じる違和感を一層低減することができる。また、利用可否判定部３０は、車載機２０の利用者と略語情報登録者とが同一コミュニティ内のメンバーである場合に、登録者が登録した略語情報を利用すると判定することができるため、利用者の感覚に合致した略語情報を提供することができる。
【００７３】
また、このような省略語共有システム１が適用されるナビゲーション装置である車載機２０によれば、運転者に適した省略語を用いて経路案内を行うことができる。これにより、運転者に馴染みのある省略語を用いてランドマークを呼称して経路案内を実行できる。そのため、運転者は違和感を覚えることなく迅速にランドマークを把握することができる。また、略称を用いてランドマークを音声案内することができるため、正式名称が長い施設をランドマークとして呼称する場合であっても、運転者は迅速にランドマークを認識することができる。
【００７４】
また、車載機２０が省略語登録装置として機能するため、運転者は自分の好みの省略語を登録することが可能である。また、車載機２０では、省略語を入力する際に、省略語候補を提案する省略語候補提案手段を備え、利用者は、提案された省略語候補から、適宜、好みの省略語を選択入力することができるため、省略語を入力する際の入力操作を簡略化することができる。キーボードなどの入力手段を備えていないカーナビゲーションシステムにおいて、入力操作の煩雑さを回避して、省略語を入力することができるため、特に有効である。
【００７５】
また、車載機２０では、共有の略語情報ＤＢ１１から取得した情報に基づいて、語句の省略方法の規則性を学習する学習部３２を備え、省略語候補提案部２９は、学習部３２によって学習された省略方法の規則性に基づいて、省略語候補を提案することができる。これにより、車載機２０の利用者によって、未だ登録されていない語句に対しても適切な省略語候補を提案することができる。
【００７６】
［第２実施形態］
次に第２実施形態に係る省略語共有システムについて説明する。図６に示す第２実施形態に係る省略語共有システム４１が、第１実施形態に係る省略語共有システム１と違う点は、プローブネット上に構築された略語情報ＤＢ１１に代えて、インターネット上に構築された略語情報ＤＢ１１を備える点である。なお、上記第１実施形態と同様の説明は省略する。
【００７７】
省略語共有システム４１は、通信ネットワークに接続されたサーバ１０、カーナビゲーションシステムとして機能する車載機２０、ＰＣ（情報処理端末）５０、携帯電話（移動通信端末）６０から成る。
【００７８】
サーバ１０は、ネットワークに接続され、複数の利用者によって更新可能な共有の略語情報ＤＢ１１を備える。複数の利用者とは、例えば、車載機２０を有する車両の運転者、携帯電話４０の利用者、ＰＣ５０の利用者などである。略語情報ＤＢ１１には、複数の利用者によって更新可能な情報として、略語情報、及び語句の省略方法に関する情報が蓄積されている。略語情報ＤＢ１１は、インターネット上のサーバ内に独立して構築されていてもよく、例えば、ＳＮＳなどのサーバ内に構築されていてもよい。
【００７９】
ＰＣ５０は、サーバ１０の共有の略語情報ＤＢ１１に、略語情報を登録する本発明の省略語登録装置として機能する。ＰＣ５０は、演算処理を行うＣＰＵ、記憶部となるＲＯＭ及びＲＡＭ、入力信号回路、出力信号回路、電源回路などにより構成されている。ＰＣ５０は、利用者による入力操作に用いられるキーボードやマウスなどの入力操作手段、液晶表示装置などの表示部、音声出力を行う音声出力部を備える。ＰＣ５０は、情報送信部、情報受信部、省略語候補提案部、利用可否判定部、略語変換部、学習部を備える。
【００８０】
携帯電話６０は、サーバ１０の共有の略語情報ＤＢ１１に、略語情報を登録する本発明の省略語登録装置として機能する。携帯電話６０は、演算処理を行うＣＰＵ、記憶部となるＲＯＭ及びＲＡＭ、入力信号回路、出力信号回路、電源回路などにより構成されている。携帯電話６０は、利用者による入力操作に用いられる入力操作手段、液晶表示装置などの表示部、音声出力を行う音声出力部を備える。携帯電話６０は、情報送信部、情報受信部、省略語候補提案部、利用可否判定部、略語変換部、学習部を備える。
【００８１】
次に、ＰＣを用いた省略語の登録について説明する。図７は、ＰＣの表示部に表示されたテキスト編集画面の一例を示す図である。図７（ａ）に示すテキスト編集画面１２１では、略語編集のアイコン１２２が表示されている。ＰＣ５０を用いて省略語を登録する場合に、利用者によってアプリケーション内の略語編集のアイコン１２２が選択されると、ＰＣ５０では、略語編集モードに移行する。携帯電話６０や車載機２０でも同様に、略語編集モードに移行する。
【００８２】
また、図７（ｂ）に示すように、省略語を登録したい対象語が表示されている場合に、対象語にカーソルを合わせて右クリックすることで、略語編集モードに移行するようにしてもよい。
【００８３】
図８は、ＰＣの表示部に略語編集画面の一例を示す図である。図８（ａ）に示す略語編集画面１４１には、正式名称入力枠１４２、略語入力枠１４３、略語読み入力枠１４４、キャンセルボタン１４５、決定ボタン１４６が表示されている。
【００８４】
正式名称入力枠１４２は、省略の対象となる語句の正式名称を入力するための入力枠である。ここでは、一例として、「牛丼の岡」と入力されている。略語入力枠１４３は、正式名称入力枠１４２に入力された語句の省略語を入力するための入力枠である。ここでは、一例として、「岡牛」と入力されている。略語読み入力枠１４４は、略語入力枠１４３に入力された省略語の読み方を入力するための入力枠である。ここでは、一例として、「オカギュウ」と入力されている。キャンセルボタン１４５は、入力をキャンセルする場合に使用する入力ボタンである。決定ボタン１４６は、省略語情報を決定する際に使用する入力ボタンである。
【００８５】
対象語の入力において、キーボードを用いて入力してもよく、音声認識によって対象語を入力してもよく、検索エンジンを利用して対象語を入力してもよい。
【００８６】
図８（ｂ）に示す略語編集画面１５１には、正式名称表示欄１５２、略語名称表示欄１５３、略語読み表示欄１５４、公開範囲設定欄１５５〜１５７、戻るボタン１１７、登録ボタン１１８が表示されている。
【００８７】
公開範囲設定欄１５５〜１５７には、省略語を公開する範囲が表示されている。ここでは、公開範囲として、「自分のみ」１５５、「登録メンバのみ」１５６、「コミュニティ内に公開」１５７、「一般に公開」１５８が表示されている。公開範囲設定欄１５５〜１５７には、省略語を公開する範囲を設定する際に使用するチェックボックスが各々設けられている。省略語共有システム１では、利用者が、省略語を登録する際に、公開範囲を設定することができる。図７及び図８に省略語の登録は、ウェブブラウザを介してＳＮＳ上で行っても良い。
【００８８】
次に、省略情報の利用例について説明する。図９は、省略語候補を表示した画像の一例を示す図である。図９（ａ）では、ＰＣの表示部に表示されたテキスト編集画像の一例を示している。例えば、入力変換時などにおいて、変換の候補として省略語を表示する。利用者が自分で入力した省略語、利用者が所属するコミュニティのメンバーが登録した省略語、利用者の属性情報と合致する属性情報を有する登録者が登録した省略語の優先順位を高くする。また、変換の候補として省略語を表示する際に、ポップアップ表示を用い、当該省略語がどのようなところで使用されている省略語であるかを紹介してもよい。これにより、作成している文書の閲覧対象者別に、適切な省略語の使用が可能となる。
【００８９】
図９（ｂ）では、携帯電話の表示部に表示されたテキスト編集画像の一例を示している。例えば、携帯電話の予測変換機能において、省略語を入力すると対象語（正式名称）が変換候補として表示されるようにしてもよい。図９（ｂ）のテキスト編集画像１７１では、文書作成欄１７２に「オカ牛」と表示され、予測変換表示欄１７３に「牛丼の岡  オカ牛丼」と表示されている。
【００９０】
また、略語情報の利用例として、例えば、インターネット上のバナー広告やナビゲーション画面に表示する画像において、広告情報の店舗名称などを利用者に適した省略語に変換して表示してもよい。例えば、広告情報が格納されているサーバにおいて、利用者の属性情報をクッキーやＳＮＳなどの会員サービスのログイン情報に基づいて、広告の内容を変換して表示する構成としてもよい。また、個別の端末（車載機２０、ＰＣ５０、携帯電話６０）側で、広告情報の語句を省略語に変換してもよい。
【００９１】
正式名称を用いた広告表示では、「カツ丼半田５０％ＯＦＦ」と表示する場合に、省略語を用いて変換表示することで、「カツ半５０％ＯＦＦ」と変換表示する。これにより、広告情報に含まれる語句を利用者に適した略語に置き換えて、表示することで、広告に対する利用者の親しみを増大させることができる。特に、利用者特有の省略方法に基づいて変換することで、広告情報が注目され易くなる。
【００９２】
また、略語情報の他の利用例としては、検索エンジンによるインターネット検索結果を示す文字表示への反映、楽曲などコンテンツ検索の検索結果を示す文字表示への反映、カーナビゲーションシステムでの地図情報表示に伴う表示文字への反映、google(登録商標)マップなどの地図情報に伴う文字表示への反映などに利用することができる。
【００９３】
次に図１０に示すフローチャートを参照して、省略語登録処理について説明する。図１０に示す省略語登録処理は、ＰＣ５０（省略語登録装置）において、省略語を登録する際に実行される処理である。
【００９４】
まず、ステップ１１では、入力モード（省略語登録モード）がＯＮであるか否かを判定する。利用者による省略語登録要求があった場合には、入力モードがＯＮであると判定し、ステップ１２に進み、省略語登録要求がない場合には、入力モードがＯＦＦであると判定し、省略語登録処理を終了する。
【００９５】
ステップ１２では、入力画面を表示する。例えば図８（ａ）に示す画像１４１を表示する。続くステップ１３では、利用者からの決定要求があるか否かを判定する。決定ボタンが押された場合には、決定要求ありと判定し、ステップ１５に進み、決定要求がない場合には、ステップ１４に進み入力画面表示を解除し、省略語登録処理を終了する。
【００９６】
ステップ１５では、エラーなしであるか否かを判定する。入力された略語情報にエラーがない場合には、ステップ１７に進み、入力された略語情報にエラーがある場合には、ステップ１６に進みエラーメッセージを表示して、ステップ１３に戻る。
【００９７】
ステップ１７では、適用範囲設定画面へ移行する。例えば図８（ｂ）に示す画像１５１を表示する。続くステップ１８では、利用者から登録要求があるか否かを判定する。登録ボタンが押された場合には、登録要求ありと判定し、ステップ１９に進み、登録要求がない場合には、ステップ１３に戻る。
【００９８】
ステップ１９では、エラーなしであるか否かを判定する。入力された適用範囲にエラーがない場合には、ステップ２１に進み、入力された適用範囲にエラーがある場合には、ステップ２０に進みエラーメッセージを表示して、ステップ１８に戻る。
【００９９】
ステップ２１では、入力された略語情報、省略語の適用範囲に関する情報、略語情報を登録した利用者の属性情報を、サーバ１０の略語情報ＤＢ１１に送信する。続くステップ２２では、適用範囲設定画面表示を解除し、省略語登録処理を終了する。
【０１００】
ここで、略語情報、省略語の適用範囲に関する情報、略語情報を登録した利用者の属性情報を、受信したサーバ１０の略語情報ＤＢ１１では、入力された略語情報、省略語の適用範囲に関する情報、略語情報を登録した利用者の属性情報を保存する。略語情報ＤＢ１１は、略語情報（語句の省略方法に関する情報）に関する情報と共に、登録者の属性情報とを関連付けて保存する。
【０１０１】
次に図１１に示すフローチャートを参照して、省略語候補提案処理について説明する。図１１に示す省略語提案処理は、ＰＣ５０（省略語登録装置）において、省略語候補を提案する際に実行される処理である。
【０１０２】
まず、ステップ３１では、省略語候補表示モードが選択されているか否かを判定する。省略語候補表示要求があった場合には、ステップ３２に進み、省略語候補表示要求がなかった場合には、省略語候補提案処理を終了する。
【０１０３】
ステップ３２では、入力された対象語に対する省略語が略語情報ＤＢ１１に記憶されているか否かを判定する。略語情報ＤＢ１１に対象語の省略語が記憶されている場合にはステップ３３に進み、略語情報ＤＢ１１に対象語の省略語が記憶されていない場合には、ステップ３４に進む。
【０１０４】
ステップ３３では、ＰＣ５０の利用者の属性情報と、略語情報ＤＢ１１の略語情報を登録した登録者の属性情報とを比較して、省略語候補（第１の候補群）を選択する。続く、ステップ３４では、入力された対象語のジャンルなどから省略語の提案候補（第２の候補群）を導出する。
【０１０５】
次に、ステップ３５では、第１の候補群、第２の候補群から、省略語候補として表示する内容を決定し、ステップ３６に進む。ステップ３６では、省略語候補表示画面に遷移する。例えば、図４（ｂ）に示す画像１１１を表示して、複数の省略語候補を提案する。
【０１０６】
次に、ステップ３７では、利用者から登録要求があるか否かを判定する。登録ボタンが押された場合には、登録要求ありと判定し、ステップ３８に進み、登録要求がない場合には、ステップ３２に戻る。
【０１０７】
ステップ３８では、エラーなしであるか否かを判定する。入力された情報にエラーがない場合には、省略語候補提案処理を終了し、入力された情報にエラーがある場合には、ステップ３９に進みエラーメッセージを表示して、ステップ３７に戻る。
【０１０８】
このような省略語共有システム４１では、上記第１実施形態の省略語共有システム１と同様の作用、効果を奏する。省略語共有システム４１では、ＰＣ５０や携帯電話６０を用いて登録された他人の略語情報を、カーナビゲーションシステムを搭載する車載機２０によって利用することができる。ネットワーク上にある他人（コミュニティの仲間）によって登録された略語情報から省略語を適宜選択することができる。その結果、車載機２０を搭載する車両の運転者の趣向に合致する省略語を容易に選択することができ、運転者の省略語に対する違和感を低減することができる。
【０１０９】
［第３実施形態］
次に第３実施形態に係るナビゲーション装置について説明する。図１２に示す第３実施形態に係るナビゲーション装置である車載機２０Ａが、図３に示す車載機２０と違う点は、略語情報ＤＢ３４を備える点である。なお、上記第１実施形態と同様の説明は省略する。
略語情報ＤＢ３４は、上記実施形態の略語情報ＤＢ１１と同様の機能を有する。略語情報ＤＢ３４を備えた車載機２０Ａは、本発明のデータベース管理システムとして機能する。略語情報ＤＢ（記憶手段）３４は、車載機２０ＡのナビＥＣＵ２１Ａに設けられている。
【０１１０】
略語情報ＤＢ３４は、略語情報を登録した登録者による入力語句の省略方法に関する情報と共に、登録者の属性情報を省略方法に関する情報と関連付けて、データベース内の情報を更新する本発明の更新手段を備えている。略語情報ＤＢ１１では、略語情報と当該略語情報の登録者の属性情報とを関連付けて記憶する。登録者の属性情報としては、性別、年齢、居住地域、職業、趣味、ＩＰアドレス、ブラウザ、ＳＮＳの所属コミュニティなどが挙げられる。略語情報ＤＢ３４に蓄積されるデータは、例えば、持ち運び可能な他の記憶手段から転送されたデータでもよい。これにより、車両の所有者ではない登録者が登録した略語情報を利用することができ、車載機２１Ａにおいて利用者に適した省略語を選択することができる。
【０１１１】
このような本実施形態の車載機２０Ａによれば、略語情報の登録者と、略語情報、省略方法に関する情報とを関連付けてデータ保存することができるので、車載機２０Ａの利用者の属性情報に応じて、適切な省略語を提供することができる。これにより、複数の利用者が更新可能なデータベースにおいて、省略語に対し利用者が感じる違和感を低減することができる。なお、略語情報ＤＢを備える携帯電話、略語情報ＤＢを備えるＰＣによって、本発明のデータベース管理システムを構成してもよい。
【０１１２】
［第４実施形態］
次に第４実施形態に係る省略語共有システムについて説明する。なお、上記実施形態と同様の説明は省略する。図１３に示す第４実施形態に係る省略語共有システム１Ａが、図６に示す第２実施形態に係る省略語共有システム１と違う点は、車載機２０Ａ、ＰＣ５０Ａ及び携帯電話６０Ａが、略語情報ＤＢ３４を備える点である。このような構成とすることで、サーバの略語情報ＤＢ１１、車載機２０Ａの略語情報ＤＢ３４、ＰＣ５０Ａの略語情報ＤＢ３４、携帯電話６０Ａの略語情報ＤＢ３４間で、互いの略語情報ＤＢ１１，３４に蓄積された略語情報を共有することができる。
【０１１３】
［第５実施形態］
次に第５実施形態に係るデータベース管理システムについて説明する。なお、上記実施形態と同様の説明は省略する。本実施形態に係るデータベース管理システムは、利用者によって更新可能な情報を含む略語情報ＤＢを管理するデータベース管理システムである。略語情報ＤＢは、更新可能な情報として、対象語に対する省略の仕方に関する情報である略語情報、及び、略語情報に関連付けられた利用者の属性情報を記憶している。
【０１１４】
データベース管理システムは、利用者に応じて広告内容を変更する略語変換部を備えている。略語変換部は、広告情報に含まれる語句を、略語情報ＤＢの略語情報に含まれた省略語であり利用者に適した省略語に置き換えて提供する。
【０１１５】
このようなデータベース管理システムによれば、利用者の属性情報と、語句の省略の仕方に関する情報とを関連付けてデータ保存することができるので、利用者の属性情報に応じて、適切な省略方法を提供することができる。これにより、広告情報を利用者に提供する際に、広告情報に含まれる語句を、利用者に応じて適切な省略語に置き換えることができる。そのため、省略語に対して利用者が感じる違和感を低減することが可能となる。また、広告情報に含まれる語句を利用者に適した省略語に置き換えて表示（提供）することで、広告に対する利用者の親しみを増大させることが可能となる。特に、利用者特有の省略の仕方に基づいて変換することで、広告情報が注目され易くなる。
【０１１６】
なお、略語情報ＤＢ及び略語変換部は、同一のサーバ内に構築されていてもよい。また、サーバ内に構築された略語情報ＤＢと、端末（車載機、ＰＣ、携帯電話）に構築された略語変換部とによって、データベース管理システムを構成してもよい。また、略語情報ＤＢ及び略語変換部は、同一の端末内に構成されていてもよい。
【０１１７】
以上、本発明をその実施形態に基づき具体的に説明したが、本発明は、上記実施形態に限定されるものではない。上記実施形態の省略語共有システムは、ナビゲーション機能を備えた車載機と通信可能な構成とされているが、ナビゲーション機能を備えていない通信端末（ＰＣ、携帯電話）のみと通信可能な省略語共有システムであってもよい。
【０１１８】
また、本発明のナビゲーション装置は、車両に搭載されていてもよく、個人が携帯して持ち運び可能な携帯電話、ＰＣなどでもよい。
【０１１９】
また、ナビゲーション装置は、本発明の省略語登録装置として機能しないものでもよい。また、省略語登録装置は、略語候補提案手段、学習手段を備えていないものでもよい。
【符号の説明】
【０１２０】
１，１Ａ，４１…省略語共有システム、１０…サーバ、１１，３４…略語情報ＤＢ、２０，２０Ａ…車載機、２６…制御部、２８…情報受信部、２９…省略語候補提案部、３０…利用可否判定部、３１…略語変換部、３２…学習部、５０，５０Ａ…ＰＣ、６０，６０Ａ…携帯電話。
【図１】
2010250601.tif 000003
【図２】
2010250601.tif 000004
【図３】
2010250601.tif 000005
【図４】
2010250601.tif 000006
【図５】
2010250601.tif 000007
【図６】
2010250601.tif 000008
【図７】
2010250601.tif 000009
【図８】
2010250601.tif 000010
【図９】
2010250601.tif 000011
【図１０】
2010250601.tif 000012
【図１１】
2010250601.tif 000013
【図１２】
2010250601.tif 000014
【図１３】
2010250601.tif 000015